(57)【要約】      （修正有）【課題】動力垂直移動装置により、二つの捏ね装置と二つの叩き装置とが、上下に移動しながら、ユーザを按摩可能な捏ね叩き同期按摩器を提供する。【解決手段】動力垂直移動装置１０と、捏ね叩き同期装置２０と、を含み、動力垂直移動装置は、ハウジング部１１を備え、ハウジング部の内部に摺動通路１２が形成されており、摺動通路の傍に垂直移動ラック１３が設けられ、捏ね叩き同期装置は、ケース部を備え、更に、動力源と、一組の第１伝動装置と、一組の第２伝動装置と、二組の捏ね装置５０ａ，５０ｂと、二組の叩き装置と、を含む。【選択図】図１
2014151211.tif 000002
【特許請求の範囲】
【請求項１】
ハウジング部を備え、前記ハウジング部の内部に摺動通路が形成されており、前記摺動
通路の傍に垂直移動ラックが設けられる動力垂直移動装置と、
ケース部を備える捏ね叩き同期装置と、
を含み、
捏ね叩き同期装置は、更に、
第１モータでもよく、前記第１モータが前記ケース部の内部に組み付けられており、前
記第１モータの軸心にウォームギアが固定されている動力源と、
前記ケース部の内部に組み付けられており、第１伝動軸と、第１ギヤと、第２ギヤと、
を備え、前記第１モータの前記ウォームギアは、前記第１ギヤと噛合い、前記第１伝動軸
に固定されている前記第１ギヤ及び前記第２ギヤを駆動可能である一組の第１伝動装置と
、
前記ケース部の内部に組み付けられており、第２伝動軸と、第３ギヤと、第４ギヤと、
を備え、前記第１モータの前記ウォームギアは、前記第３ギヤと噛合い、前記第２伝動軸
に固定されている前記第３ギヤ及び前記第４ギヤを駆動可能である一組の第２伝動装置と
、
前記ケース部の内部から前記ケース部の外部に突出し、回転斜面構造と、揺動アームと
、按摩ヘッド支持台と、按摩ヘッドと、をそれぞれ備え、前記回転斜面構造が第３伝動軸
に固定されており、前記第３伝動軸に第５ギヤが固定されており、前記第５ギヤが前記第
２ギヤと噛合い、これにより、前記第１伝動軸は前記回転斜面構造を駆動して回転させ可
能であり、前記揺動アームが前記回転斜面構造に当接しており、前記回転斜面構造の回転
により、前記揺動アームが駆動されて左右に揺動し、前記揺動アームに前記按摩ヘッド支
持台が組み付けられており、これにより、前記按摩ヘッド支持台が左右に揺動し、前記按
摩ヘッド支持台に前記按摩ヘッドが設けられており、前記按摩ヘッドの左右への揺動によ
り、ユーザを按摩可能である二組の捏ね叩き装置と、
前記ケース部の内部から前記ケース部の外部に突出し、第４伝動軸に第６ギヤが設けら
れており、前記第６ギヤが前記第４ギヤと噛合い、前記第６ギヤと前記第４伝動軸の間に
一方向回動可能軸受が介在しており、前記第４伝動軸の両端に偏心ホイールがそれぞれ設
けられており、前記偏心ホイールに偏心ケースが嵌め設けられており、前記偏心ケースに
偏心軸が枢着されており、前記偏心軸はユニバーサルジョイントを介してレバー押えブロ
ックと連接し、前記レバー押えブロックが前記按摩ヘッド支持台の側面に固定されており
、これにより、前記第１モータが逆転しているときに、前記偏心ホイールが前記按摩ヘッ
ドを駆動して叩き按摩動作を行い、このとき、前記按摩ヘッドは捏ね按摩動作を同期に行
っている二組の叩き装置と、
そのシャフトにウォームギアが設けられており、第１大径ギヤと第１小径ギヤが一体に
成形されており、前記第１大径ギヤが前記ウォームギアと噛合い、第２大径ギヤと第２小
径ギヤが一体に成形されており、前記第２大径ギヤが前記第１小径ギヤと噛合い、第３大
径ギヤと第３小径ギヤが一体に成形されており、前記第３大径ギヤが前記第２小径ギヤと
噛合い、前記第３小径ギヤが前記垂直移動ラックと噛合い、これらの大径ギヤと小径ギヤ
のギヤ比により、減速及びトルクを増加するという目的を達成可能であり、その回転方向
を変更することにより、前記捏ね叩き装置は、上に行きながら捏ね叩き按摩を行うモード
、又は下に行きながら捏ね叩き按摩を行うモードに切替可能である第２モータと、
を含むことを特徴とする捏ね叩き同期按摩器。
【請求項２】
前記按摩ヘッド支持台には、赤外線ランプ板と、前記按摩ヘッドと、が設けられており
、前記按摩ヘッドは、左右に揺動しているときにユーザを按摩可能であり、前記赤外線ラ
ンプ板は湿布効果を有することを特徴とする、請求項１に記載の捏ね叩き同期按摩器。
【発明の詳細な説明】
【技術分野】
【０００１】
本発明は、按摩器に関し、特に、動力垂直移動装置により、二つの捏ね装置と二つの叩き装置とが、上下に移動しながら、ユーザを按摩可能な捏ね叩き同期按摩器に関するものである。
【背景技術】
【０００２】
国民の日常生活が極めて緊張で忙しいため、暇がある場合には、家に帰って休むことが一般的であるが、仕事のストレスによる腰背痛を解消することができない。このため、あるメーカーが従来の按摩器を開発して市販している。従来の按摩器によれば、家に按摩を行うことが可能であり、腰背痛を解消することが可能である。
【０００３】
従来の按摩器は、単純な転がり按摩だけを行い可能であるため、腰背痛を有効に解消することができず、按摩動作が極めて単調である。このため、ユーザはこのような按摩器の利用に飽きやすい。
【発明の概要】
【発明が解決しようとする課題】
【０００４】
本発明の主な目的は、動力垂直移動装置により、二つの捏ね装置と二つの叩き装置とが、上下に移動しながら、ユーザを按摩可能な捏ね叩き同期按摩器を提供することにある。
【課題を解決するための手段】
【０００５】
本発明の捏ね叩き同期按摩器によると、ハウジング部を備え、ハウジング部の内部に摺動通路が形成されており、摺動通路の傍に垂直移動ラックが設けられる動力垂直移動装置と、ケース部を備える捏ね叩き同期装置と、を含み、捏ね叩き同期装置は、更に、第１モータでもよく、第１モータがケース部の内部に組み付けられており、第１モータの軸心にウォームギアが固定されている動力源と、ケース部の内部に組み付けられており、第１伝動軸と、第１ギヤと、第２ギヤと、を備え、第１モータのウォームギアは、第１ギヤと噛合い、第１伝動軸に固定されている第１ギヤ及び第２ギヤを駆動可能である一組の第１伝動装置と、ケース部の内部に組み付けられており、第２伝動軸と、第３ギヤと、第４ギヤと、を備え、第１モータのウォームギアは、第３ギヤと噛合い、第２伝動軸に固定されている第３ギヤ及び第４ギヤを駆動可能である一組の第２伝動装置と、ケース部の内部からケース部の外部に突出し、回転斜面構造と、揺動アームと、按摩ヘッド支持台と、按摩ヘッドと、をそれぞれ備え、回転斜面構造が第３伝動軸に固定されており、第３伝動軸に第５ギヤが固定されており、第５ギヤが第２ギヤと噛合い、これにより、第１伝動軸は回転斜面構造を駆動して回転させ可能であり、揺動アームが回転斜面構造に当接しており、回転斜面構造の回転により、揺動アームが駆動されて左右に揺動し、揺動アームに按摩ヘッド支持台が組み付けられており、これにより、按摩ヘッド支持台が左右に揺動し、按摩ヘッド支持台に按摩ヘッドが設けられており、按摩ヘッドの左右への揺動により、ユーザを按摩可能である二組の捏ね装置と、ケース部の内部からケース部の外部に突出し、第４伝動軸に第６ギヤが設けられており、第６ギヤが第４ギヤと噛合い、第６ギヤと第４伝動軸の間に一方向回動可能軸受が介在しており、第４伝動軸の両端に偏心ホイールがそれぞれ設けられており、偏心ホイールに偏心ケースが嵌め設けられており、偏心ケースに偏心軸が枢着されており、偏心軸はユニバーサルジョイントを介してレバー押えブロックと連接し、レバー押えブロックが按摩ヘッド支持台の側面に固定されており、これにより、第１モータが逆転しているときに、偏心ホイールが按摩ヘッドを駆動して叩き按摩動作を行い、このとき、按摩ヘッドは捏ね按摩動作を同期に行っている二組の叩き装置と、そのシャフトにウォームギアが設けられており、第１大径ギヤと第１小径ギヤが一体に成形されており、第１大径ギヤがウォームギアと噛合い、第２大径ギヤと第２小径ギヤが一体に成形されており、第２大径ギヤが第１小径ギヤと噛合い、第３大径ギヤと第３小径ギヤが一体に成形されており、第３大径ギヤが第２小径ギヤと噛合い、第３小径ギヤが垂直移動ラックと噛合い、これらの大径ギヤと小径ギヤのギヤ比により、減速及びトルクを増加するという目的を達成可能であり、その回転方向を変更することにより、捏ね叩き装置は、上に行きながら捏ね叩き按摩を行うモード、又は下に行きながら捏ね叩き按摩を行うモードに切替可能である第２モータと、を含むことを特徴とする。
【０００６】
本発明の捏ね叩き同期按摩器によると、按摩ヘッド支持台には、赤外線ランプ板と、按摩ヘッドと、が設けられており、按摩ヘッドは、左右に揺動しているときにユーザを按摩可能であり、赤外線ランプ板は湿布効果を有することを特徴とする。
【発明の効果】
【０００７】
本発明の捏ね叩き同期按摩器によれば、動力垂直移動装置により、二つの捏ね装置と二つの叩き装置とが、上下に移動しながら、ユーザを按摩可能であるという効果を有する。
【図面の簡単な説明】
【０００８】
【図１】本発明の一実施例を示す斜視図である。
【図２】本発明の一実施例を示す分解斜視図である。
【図３】本発明の一実施例の捏ね叩き同期装置を示す分解斜視図である。
【図４】本発明の一実施例の捏ね叩き同期装置を下方の視点から見た斜視図である。
【図５】本発明の一実施例の昇降按摩動作を示す正面図である。
【図６】本発明の一実施例の昇降按摩動作を示す側面図である。
【発明を実施するための最良の形態】
【０００９】
以下、本発明の実施の形態を図面に基づいて説明する。
本発明の捏ね叩き同期按摩器は、動力垂直移動装置１０と、捏ね叩き同期装置２０と、を含む。
【００１０】
動力垂直移動装置１０は、ハウジング部１１を備え、ハウジング部１１の内部に摺動通路１２が形成されており、摺動通路１２の傍に垂直移動ラック１３が設けられる。
【００１１】
捏ね叩き同期装置２０は、ケース部２１を備え、更に、動力源と、一組の第１伝動装置３０と、一組の第２伝動装置４０と、二組の捏ね装置５０ａ、５０ｂと、二組の叩き装置６０と、を含む。
【００１２】
前記動力源は第１モータ２２でもよい。第１モータ２２はケース部２１の内部に組み付けられており、第１モータ２２の軸心にウォームギア２３が固定されている。
【００１３】
一組の第１伝動装置３０は、ケース部２１の内部に組み付けられており、第１伝動軸３１と、第１ギヤ３２と、第２ギヤ３３と、を備える。第１モータ２２のウォームギア２３は、第１ギヤ３２と噛合い、第１伝動軸３１に固定されている第１ギヤ３２及び第２ギヤ３３を駆動可能である。
【００１４】
一組の第２伝動装置４０は、ケース部２１の内部に組み付けられており、第２伝動軸４１と、第３ギヤ４２と、第４ギヤ４３と、を備える。第１モータ２２のウォームギア２３は、第３ギヤ４２と噛合い、第２伝動軸４１に固定されている第３ギヤ４２及び第４ギヤ４３を駆動可能である。
【００１５】
二組の捏ね装置５０ａ、５０ｂは、ケース部２１の内部からケース部２１の外部に突出し、回転斜面構造５１と、揺動アーム５２と、按摩ヘッド支持台５３と、二つの赤外線ランプ板５４と、按摩ヘッド５５と、をそれぞれ備える。回転斜面構造５１は第３伝動軸５６に固定されている。第３伝動軸５６に第５ギヤ５７が固定されている。第５ギヤ５７が第２ギヤ３３と噛合い、これにより、第１伝動軸３１は回転斜面構造５１を駆動して回転させ可能である。揺動アーム５２が回転斜面構造５１に当接しており、回転斜面構造５１の回転により、揺動アーム５２が駆動されて左右に揺動する。揺動アーム５２に按摩ヘッド支持台５３が組み付けられており、これにより、按摩ヘッド支持台５３が左右に揺動する。按摩ヘッド支持台５３に按摩ヘッド５５が設けられている。按摩ヘッド５５の左右へ
の揺動により、ユーザを按摩可能である。赤外線ランプ板５４は、ユーザを湿布する効果を有する。
【００１６】
二組の叩き装置６０は、ケース部２１の内部からケース部２１の外部に突出する。第４伝動軸６１に第６ギヤ６２が設けられている。第６ギヤ６２が第４ギヤ４３と噛合う。第６ギヤ６２と第４伝動軸６１の間に一方向回動可能軸受６３が介在している。第４伝動軸６１の両端に偏心ホイール６４がそれぞれ設けられている。偏心ホイール６４に偏心ケース６５が嵌め設けられている。偏心ケース６５に偏心軸６６が枢着されている。偏心軸６６はユニバーサルジョイント６６１を介してレバー押えブロック６７と連接する。レバー押えブロック６７が按摩ヘッド支持台５３の側面に固定されており、これにより、第１モータ２２が逆転しているときに、偏心ホイール６４が按摩ヘッド５５を駆動して叩き按摩動作を行い、このとき、按摩ヘッド５５は捏ね按摩動作を同期に行っている。
【００１７】
上記の構成により、第１モータ２２のウォームギア２３が正転しているときには、第１伝動装置３０の第１ギヤ３２と第１伝動軸３１が駆動されて、第２ギヤ３３により第５ギヤ５７と第３伝動軸５６が駆動されて、回転斜面構造５１が駆動されて回転する。回転斜面構造５１の回転により、揺動アーム５２が左右に揺動して、按摩ヘッド支持台５３と二つの按摩ヘッド５５とが左右に揺動しながら、ユーザに捏ね按摩を加え可能である。
【００１８】
上記の構成により、第１モータ２２のウォームギア２３が逆転しているときには、第１伝動装置３０の第１ギヤ３２と第１伝動軸３１が駆動されて、第２ギヤ３３により第５ギヤ５７と第３伝動軸５６が駆動されて、回転斜面構造５１が駆動されて回転する。回転斜面構造５１の回転により、揺動アーム５２が左右に揺動して、按摩ヘッド支持台５３と二つの按摩ヘッド５５とが左右に揺動しながら、ユーザに捏ね按摩を行い可能である。このとき、ウォームギア２３が逆転して第３ギヤ４２と第４ギヤ４３とを駆動して、第６ギヤ６２が一方向回動可能軸受６３を介して第４伝動軸６４を駆動して、第４伝動軸６４の回転により、偏心ホイール６４と偏心ハウジング６５とが駆動されて回転する。偏心ハウジング６５の回転により、偏心軸６６が押えられ、又は引かれて、レバー押えブロック６７
、按摩ヘッド支持台５３及び二つの按摩ヘッド５５が駆動されて、ユーザに捏ね按摩及び叩き按摩を同時に加え可能である。
【００１９】
本発明のケース部２１の内部に第２モータ７０が設けられている。第２モータ７０のシャフトにウォームギア７１が設けられている。第１大径ギヤ７２と第１小径ギヤ７３が一体に成形されており、第１大径ギヤ７２がウォームギア７１と噛合う。第２大径ギヤ７４と第２小径ギヤ７５が一体に成形されており、第２大径ギヤ７４が第１小径ギヤ７３と噛合う。第３大径ギヤ７６と第３小径ギヤ７７が一体に成形されており、第３大径ギヤ７６が第２小径ギヤ７５と噛合う。第３小径ギヤ７７は垂直移動ラック１３と噛合う。これらの大径ギヤと小径ギヤのギヤ比により、減速及びトルクを増加するという目的を達成可能である。そして第２モータ７０の回転方向を変更することにより、捏ね叩き装置２０は、上に行きながら捏ね叩き按摩を行うモード、又は下に行きながら捏ね叩き按摩を行うモー
ドに切替可能である。
【００２０】
このように、本発明の特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【産業上の利用可能性】
【００２１】
本発明は、按摩器に適用することができる。
【符号の説明】
【００２２】
１０：動力垂直移動装置
１１：ハウジング部
１２：摺動通路
１３：垂直移動ラック
２０：捏ね叩き同期装置
２１：ケース部
２２：第１モータ
２３：ウォームギア
３０：第１伝動装置
３１：第１伝動軸
３２：第１ギヤ
３３：第２ギヤ
４０：第２伝動装置
４１：第２伝動軸
４２：第３ギヤ
４３：第４ギヤ
５０ａ：捏ね叩き装置
５０ｂ：捏ね叩き装置
５１：回転斜面構造
５２：揺動アーム
５３：按摩ヘッド支持台
５４：赤外線ランプ板
５５：按摩ヘッド
５６：第３伝動軸
５７：第５ギヤ
６０：叩き装置
６１：第４伝動軸
６２：第６ギヤ
６３：一方向回動可能軸受
６４：偏心ホイール
６５：偏心ハウジング
６６：偏心軸
６７：レバー押えブロック
７０：第２モータ
７１：ウォームギア
７２：第１大径ギヤ
７３：第１小径ギヤ
７４：第２大径ギヤ
７５：第２小径ギヤ
７６：第３大径ギヤ
７７：第３小径ギヤ
６６１：ユニバーサルジョイント
【図１】
2014151211.tif 000003
【図２】
2014151211.tif 000004
【図３】
2014151211.tif 000005
【図４】
2014151211.tif 000006
【図５】
2014151211.tif 000007
【図６】
2014151211.tif 000008